(57)【要約】【課題】この考案は、ニＳＤカードを挿入する場合、導電端子を傷つけることがなく、かつ安定した接触が得られるメモリカードのアダプタを提供する。【解決手段】メモリカードと同じ規格のサイズで形成された本体の一端にミニメモリカードの外形と同規格のサイズの挿入溝を形成するとともに、一端が該挿入溝内を外方向に延伸して接触端を形成し、かつ挿入されるミニメモリカードと接触して電気的接続をする導電端子の他端を該本体の他端には埋め込み、該挿入溝内に外方向から内方向に向かって高くなるガイド斜面を形成し、挿入されるミニメモリカードが該導電端子に直接突き当たることを防ぐように構成する【選択図】  図２
0003114188.tif 000002
【実用新案登録請求の範囲】
【請求項１】
メモリカードと同じ規格のサイズで形成された本体の一端にミニメモリカードの外形と同規格のサイズの挿入溝を形成するとともに、一端が該挿入溝内を外方向に延伸して接触端を形成し、かつ挿入されるミニメモリカードと接触して電気的接続をする導電端子の他端を該本体の他端には埋め込んでなるメモリカードのアダプタであって、挿入されるミニメモリカードが該導電端子に直接突き当たることを防ぐことができるように該挿入溝内に外方向から内方向に向かって高くなるガイド斜面を構成したことを特徴とするメモリカードのアダプタ。
【請求項２】
前記ガイド斜面がブロック状部に形成され、かつ該ブロック状部が該導電端子の前方の位置において該本体の長手方向に直交する方向に設けられることを特徴とする請求項１に記載のメモリカードのアダプタ。
【請求項３】
前記ガイド斜面を形成するブロック状部が、該導電端子の方向に沿って形成され、かつ複数の導電端子の間にそれぞれ設けられることを特徴とする請求項１に記載のメモリカードのアダプタ。
【考案の詳細な説明】
【技術分野】
【０００１】
この考案はメモリカード用アダプタに関し、特にデータの保存、読み取りに用いるメモリカードのアダプタに関する。
【背景技術】
【０００２】
通常、メモリカードはデジタル周辺製品の保存媒体として使用されている。現在、市場で販売されているデジタル製品は機種、型番が非常に多く、使用に適するデータ保存用するメモリカードもそれぞれ異なる。（例えばＳｍａｒｔ  Ｍｅｄｉａ（登録商標）  Ｃａｒｄ、Ｓｅｃｕｒｅ  Ｄｉｇｉｔａｌ  ＣＡＲＤ、Ｍｕｌｔｉ  Ｍｅｄｉａ  Ｃａｒｄ、Ｍｅｍｏｒｙ  Ｓｔｉｃｋ  Ｃａｒｄ、ＣＦ  Ｃａｒｄ、ＸＤ  Ｃａｒｄなど）
【０００３】
メモリカードの種類の増加に伴い、各種の電子製品、デジタル製品も軽く、薄く、短く、小さくなっている。このため、電気回路素子、保存装置なども次第に小型化している。例えば、ｍｉｎｉＳＤカード、ＭＳ  ｄｕｏカードのサイズは、Ｓｅｃｕｒｅ  Ｄｉｇｉｔａｌ  Ｃａｒｄ（ＳＤカード）やＭｅｍｏｒｙ  Ｓｔｉｃｋ  Ｃａｒｄ（ＭＳカード）の２分の１に満たない。したがって、対応するカードアダプタも軽量、小型化が求められている。このため、サイズの大きなメモリカード（例えばＳｍａｒｔ  Ｍｅｄｉａ（登録商標）  Ｃａｒｄ）はすでに市場で受け入れられなくなってきている。
【０００４】
しかしながら、本来の回路のレイアウトと、本来のサイズのカードアダプタにおいて、サイズが小さく、薄いメモリカードを適用させようとするのであれば、メモリカードとカードアダプタ間の適用性の問題が早急に改善すべき問題となる。かかる問題を改善できる適宜なカードアダプタがあれば、カードアダプタの組み立ての工程を簡略化し、製造コストを低減させることができるのみならず、カードアダプタがデバイス内を占める空間が縮小し、電子製品の更なる小型化に有利になる。
【０００５】
そこで、ＳＤカードのサイズの規格の下で、ミニＳＤカードに接続でき、ＳＤメモリカードの挿入に適したアダプタが開発された。かかる構造は、図５に開示するように、本体１００の一端にミニＳＤカードを挿入する挿入溝３００を形成し、他端には、電気回路に接続する導電端子２００を内設し、挿入溝３００の底面で接触点２００１に対応する位置に貫通孔１００１を設けてなる（図５参照）。係る構造によってミニＳＤカードを挿入すると、導電端子２００の接触点２００１が移動して内部空間が広がる。
【０００６】
しかしながら、上述する構造は、基本的なメモリカードのアダプタとしての機能を達成することができるが、挿入口３００の一方の面に貫通孔１００１が形成されるため、異物やほこりなどが内部に進入する恐れがある。また、導電端子２００の前端には、斜めに反り返った接触点２００１設けられているため、カード挿入時にミニＳＤカードが直接逆方向にぶつかり、押し圧されて変形する恐れがある。よって、メモリカードの接続の正確さ、安定性、品質に大きな影響を与える。
【０００７】
上述する欠点に鑑み、図６に開示するように、導電端子２００の先端の接触点２００１を挿入口３００の内壁に貼りつくように接触させるため、接触点２００１の一部を突起状に形成する構造が考案された。かかる構造は導電端子を傷つけることを防ぐことができるが、かえって接触不良が発生しやすくなる。
【考案の開示】
【考案が解決しようとする課題】
【０００８】
この考案は、ミニＳＤカードを挿入する場合、導電端子を傷つけることのないメモリカードのアダプタを提供することを課題とする。
【０００９】
また、この考案は、メモリカードに接触する導電端子の接触点が十分な弾性的移動量と可動距離を有するメモリカードのアダプタを提供することを課題とする。
【課題を解決するための手段】
【００１０】
そこで、本発明者は従来の技術に見られる欠点に鑑みて鋭意研究を重ねた結果、メモリカードと同じ規格のサイズで形成された本体の一端にミニメモリカードの外形と同規格のサイズの挿入溝を形成するとともに、一端が該挿入溝内を外方向に延伸して接触端を形成し、かつ挿入されるミニメモリカードと接触して電気的接続をする導電端子の他端を該本体の他端には埋め込んでなリ、該挿入溝内に外方向から内方向に向かって高くなるガイド斜面を形成し、挿入されるミニメモリカードが該導電端子に直接突き当たることを防ぐように構成するメモリカードのアダプタの構造によって課題を解決できる点に着眼し、かかる知見に基づいて本発明を完成させた。
【００１１】
以下、この発明について具体的に説明する。
請求項１に記載するメモリカードのアダプタは、メモリカードと同じ規格のサイズで形成された本体の一端にミニメモリカードの外形と同規格のサイズの挿入溝を形成するとともに、一端が該挿入溝内を外方向に延伸して接触端を形成し、かつ挿入されるミニメモリカードと接触して電気的接続をする導電端子の他端を該本体の他端には埋め込んでなるメモリカードのアダプタであって、
該挿入溝内に外方向から内方向に向かって高くなるガイド斜面を形成し、挿入されるミニメモリカードが該導電端子に直接突き当たることを防ぐように構成する。
【００１２】
請求項２に記載するメモリカードのアダプタは、請求項１における前記ガイド斜面がブロック状部に形成され、かつ該ブロック状部が該導電端子の前方の位置において該本体の長手方向に直交する方向に設けられる。
【００１３】
請求項３に記載するメモリカードのアダプタは、請求項いにおけるガイド斜面を形成するブロック状部が、該導電端子の方向に沿って形成され、かつ複数の導電端子の間にそれぞれ設けられる。
【考案の効果】
【００１４】
この考案のメモリカードのアダプタは、、ミニＳＤカードを挿入する場合、導電端子を傷つけることがなく、長い使用様寿命が得られるとともに、メモリカードに接触する導電端子の接触点が十分な弾性的移動量と可動距離を有するため、接触端子の安定した接触が得られるという効果を有し、さらには従来の技術に見られるように本体に貫通孔を形成しないため、異物の進入による不具合が発生しないといった効果を有する。
【考案を実施するための最良の形態】
【００１５】
この考案は、メモリカードのアダプタを提供するものであって、メモリカードと同じ規格のサイズで形成された本体の一端にミニメモリカードの外形と同規格のサイズの挿入溝を形成するとともに、一端が該挿入溝内を外方向に延伸して接触端を形成し、かつ挿入されるミニメモリカードと接触して電気的接続をする導電端子の他端を該本体の他端には埋め込んでなり、該挿入溝内に外方向から内方向に向かって高くなるガイド斜面を形成し、挿入されるミニメモリカードが該導電端子に直接突き当たることを防ぐように構成する。
かかるメモリカードのアダプタの構造と特徴を詳述するために具体的な実施例を挙げ、図示を参照にして以下に説明する。
【実施例】
【００１６】
図１に、この考案の説明図を開示し、その他の図も参照する。図面によれば、この考案は、ＳＤカードと同規格のサイズで形成された本体１を具え、該本体１は一端から他端に向かって水平方向に延伸し、一端にはミニＳＤカードＡの外形と同規格のサイズの挿入溝１１（図２参照）を形成するとともに、他端に導電端子２の一端を埋め込む。導電端子２の他端は挿入溝１１内を外方向に延伸して接触端２１（図３参照）を形成する。該接触端２１の形状は、挿入溝１１の内側から外方向に向かって徐々に上昇し、かつ末端部の手前で突起状を形成し、末端は下方に湾曲させる。
【００１７】
この考案の特徴は、挿入溝１１の内部において、導電端子２の接触端２１の前方に、接触端に隣接する位置にガイド斜面１２を形成することにある。即ち、図２に開示するように、本体１の長手方向に直交する方向にブロック状部を設け、該ブロック状部にガイド斜面１２を形成する。図面によれば、該ガイド斜面は、接触端２１の前方に設けられ、挿入溝１１の外方向から内方向に向かって徐々に高くなるように形成され、かつ接触端２１の末端の高さがガイド斜面１２より低くなるようにする。
【００１８】
上述するように、本体１の挿入溝１１内にガイド斜面１２を形成することによって、ミニＳＤカードＡを挿入すると、ミニＳＤカードＡが挿入溝１１内において傾斜して移動し、導電端子２の接触端２１に直接突き当たることがない。また、従来の技術に見られるように挿入溝内に貫通孔を形成することのない構造でありながら、ガイド斜面１２を形成することによって、導電端子２の接触端２１に十分な弾性的移動量が得られ、接触端１２の挿入溝１１内における可動距離が増加し、接触端２１がミニＳＤカードＡに接触する動作を確実にするとともに、接触端２１が長時間メモリカードの押し圧を受けることによって発生する永久変形量を減少させ、力の累積によって変形が発生するという問題を改善することができる.。
【００１９】
図４に、この考案の他の実施形態を開示する。前記ガイド斜面１２を形成するブロック状部を導電端子２の方向に沿って形成し、かつ複数の導電端子２接触端２１の間にそれぞれ設けるようにしてもよい。かかる構造によって得られる構造は、上述の挿入溝１１内にガイド斜面１２を形成する形態と同様の効果が得られる。よって効果、作用などについて、ここでは詳述しない。
【００２０】
上述のように、この考案のメモリカードのアダプタは、カード挿入時に導電端子が直接、メモリカードに突き当たって変形する状況を改善し、カードとの接触を安定させるとともに、使用寿命を長くする。
【００２１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２２】
【図１】この考案のメモリカードのアダプタの斜視図である。
【図２】図１に開示するメモリカードのアダプタの一部切り欠き説明図である。
【図３】図２に開示するメモリカードアダプタの断面図である。
【図４】他の実施形態によるメモリカードアダプタの構造を示した説明図である。
【図５】従来のメモリカードのアダプタの底面側の斜視図である。
【図６】図５に開示したメモリカードのアダプタの断面図である。
【符号の説明】
【００２３】
１          本体
１１        挿入溝
２          導電端子
２１        接触端
１００      本体
１００１    貫通孔
２００      導電端子
２００１    接触点
３００      挿入口
Ａ          ミニＳＤカード
【図１】
0003114188.tif 000003
【図２】
0003114188.tif 000004
【図３】
0003114188.tif 000005
【図４】
0003114188.tif 000006
【図５】
0003114188.tif 000007
【図６】
0003114188.tif 000008